(57)【要約】      （修正有）【課題】折り重ね部の位置決めが容易であって、施工性に優れた埋設管外面防食用スリーブを提供する。【解決手段】埋設管外面防食用スリーブ１は、埋設管Ｐに緩く被せられるチューブ状に成形され偏平に折り畳まれて両側縁に折り目が付けられたフィルム成形体よりなる。フィルム成形体の表面に、表示部２が長さ方向に沿って設けられている。施工時には、埋設管の外面に沿うように周方向の一部が３層に折り重ねられて埋設管に固定され、折り重ね部５は、表示部が折り重ね部の最外層５Ｃの幅中央部でかつ埋設管の頂部に位置するように形成される。フィルム成形体の一側縁の折り目が折り重ね部の中間層５Ｂと最外層との間の折り目と一致しうるように、表示部がフィルム成形体の表面の周方向所定箇所に設けられている。【選択図】図４
0003187355.tif 000002
【実用新案登録請求の範囲】
【請求項１】
埋設管に緩く被せられるチューブ状に成形されかつ偏平に折り畳まれることにより両側縁に折り目が付けられているフィルム成形体よりなり、フィルム成形体の表面には所定の情報を示すための表示部が長さ方向に沿って所定幅で設けられており、施工時には、埋設管の外面に沿うように周方向の一部が３層に折り重ねられた上で固定手段によって埋設管に固定され、折り重ね部は、表示部が折り重ね部の最外層の幅中央部であってかつ埋設管の頂部に位置するように形成される埋設管外面防食用スリーブにおいて、
フィルム成形体の一側縁の折り目が施工時における折り重ね部の中間層と最外層との間の折り目と一致しうるように、表示部がフィルム成形体の表面の周方向所定箇所に設けられていることを特徴とする、埋設管外面防食用スリーブ。
【請求項２】
フィルム成形体は、施工時における折り重ね部の最内層と中間層との間の折り目に相当する箇所および同折り目の直上であって折り重ね部の最外層の一側縁に相当する箇所にそれぞれ折り目が付くように、さらに幅方向に２つに折り畳まれていることを特徴とする、請求項１記載の埋設管外面防食用スリーブ。
【請求項３】
フィルム成形体の表面のうち、施工時における折り重ね部の最内層と中間層との間の折り目に相当する箇所および同折り目の直上であって折り重ね部の最外層の一側縁に相当する箇所のうち少なくともいずれか一方に、折り重ね案内用表示部が設けられていることを特徴とする、請求項１または２記載の埋設管外面防食用スリーブ。
【請求項４】
フィルム成形体の表面のうち、施工時における折り重ね部の最内層の幅中央部に相当する箇所に、埋設管の頂部への位置合わせ用表示部が設けられていることを特徴とする、請求項１〜３のいずれか１つに記載の埋設管外面防食用スリーブ。
【考案の詳細な説明】
【技術分野】
【０００１】
この考案は、地中に埋設される金属管の外面を被覆して腐食を防止するために用いられる埋設管外面防食用スリーブに関する。
なお、「管」には、管どうしの接続部も含まれる場合があるものとする。
【背景技術】
【０００２】
例えば水道用ダクタイル鋳鉄管等の埋設管の外面を防食するために、ポリエチレン樹脂等のフィルムをチューブ状に成形してなるスリーブが一般に用いられている。
このスリーブは、図６に示すように、埋設管(P)に緩く被せられるチューブ状に成形されかつ偏平に折り畳まれることにより両側縁に折り目(103)が付けられたフィルム成形体(101)よりなる。フィルム成形体(101)の表面には、所定の情報を示すための表示部(102)が長さ方向に沿って所定幅で印刷されている。
【０００３】
上記スリーブ(101)を施工する場合、これを埋設管(P)の周囲に一端側から嵌め被せた後、図７に示すように、埋設管(P)の外面に沿うように周方向の一部を３層に折り重ねた上で、粘着テープ(T)やゴムバンド等によって埋設管(P)に固定する。
ここで、スリーブ(101)の折り重ね部(105)は、埋設管(P)を埋め戻す際の土砂による衝撃でスリーブ(101)が破損するのを防止するとともに表示部(102)が作業者の目に留まりやすいように、表示部(105)が折り重ね部(105)の最外層の幅中央部であってかつ埋設管(P)の頂部(P1)に位置するように形成される（特許文献１参照）。
【０００４】
しかしながら、従来のスリーブ(101)の場合、その表面に形成される表示部(102)の表示位置が特に定められておらず、メーカーやサイズ等によって区々であったため、施工に際してスリーブ(101)の折り重ね部(105)を上記のように位置決めするのが容易ではなく、その作業には熟練を要するため、非熟練者では良好に施工することができなかった。
【先行技術文献】
【特許文献】
【０００５】
【特許文献１】実開昭５８−８６９９４号公報
【考案の概要】
【考案が解決しようとする課題】
【０００６】
この考案の目的は、折り重ね部の位置決めが容易であって、施工性に優れた埋設管外面防食用スリーブを提供することにある。
【課題を解決するための手段】
【０００７】
この考案による埋設管外面防食用スリーブは、埋設管に緩く被せられるチューブ状に成形されかつ偏平に折り畳まれることにより両側縁に折り目が付けられているフィルム成形体よりなり、フィルム成形体の表面には所定の情報を示すための表示部が長さ方向に沿って所定幅で設けられており、施工時には、埋設管の外面に沿うように周方向の一部が３層に折り重ねられた上で固定手段によって埋設管に固定され、折り重ね部は、表示部が折り重ね部の最外層の幅中央部であってかつ埋設管の頂部に位置するように形成される埋設管外面防食用スリーブにおいて、フィルム成形体の一側縁の折り目が施工時における折り重ね部の中間層と最外層との間の折り目と一致しうるように、表示部がフィルム成形体の表面の周方向所定箇所に設けられているものである（請求項１）。
【０００８】
上記のスリーブにあっては、施工に際して、フィルム成形体の一側縁の折り目が上側に来るように埋設管の周囲に一端側から嵌め被せた後、表示部が埋設管の頂部に来るように位置合わせしながら、上記折り目を有するフィルム成形体の一側縁を折り重ね部の基点として、周方向の一部を３層に折り重ねればよい。
従って、この考案の埋設管外面防食用スリーブによれば、施工時における折り重ね部の位置決めを、熟練を要することなく誰でも容易に行うことができ、施工性が向上する。
【０００９】
この考案による埋設管外面防食用スリーブにおいて、フィルム成形体が、施工時における折り重ね部の最内層と中間層との間の折り目に相当する箇所および同折り目の直上であって折り重ね部の最外層の一側縁に相当する箇所にそれぞれ折り目が付くように、さらに幅方向に２つに折り畳まれているのが好ましい（請求項２）。
【００１０】
上記折り目が付くようにフィルム成形体がさらに幅方向に２つに折り畳まれていれば、施工時に折り重ね部とすべき部分を容易に把握することができるので、折り重ね部の位置決めがさらに容易となり、施工性も一段と向上する。
【００１１】
この考案による埋設管外面防食用スリーブにおいて、フィルム成形体の表面のうち、施工時における折り重ね部の最内層と中間層との間の折り目に相当する箇所および同折り目の直上であって折り重ね部の最外層の一側縁に相当する箇所のうち少なくともいずれか一方に、折り重ね案内用表示部が設けられている場合がある（請求項３）。
【００１２】
上記構成の場合、折り重ね部の最外層および中間層のうち少なくともいずれか一方に相当する部分が、上記折り目と折り重ね案内用表示部とによって画定されるため、折り重ね部の位置決めの容易性、ひいては施工性がより一層向上する。
【００１３】
また、この考案による埋設管外面防食用スリーブにおいて、フィルム成形体の表面のうち、施工時における折り重ね部の最内層の幅中央部に相当する箇所に、埋設管の頂部への位置合わせ用表示部が設けられている場合がある（請求項４）。
【００１４】
上記構成の場合、施工に際しては、フィルム成形体表面の位置合わせ用表示部を埋設管の頂部に合わせるだけで、埋設管に対するスリーブの位置決めを容易に行うことができ、施工性がさらに向上する。
【図面の簡単な説明】
【００１５】
【図１】この考案の実施形態を示すものであって、埋設管外面防食用スリーブの部分省略斜視図である。
【図２】図１のスリーブをさらに折り畳んだ状態を示す部分省略斜視図である。
【図３】同スリーブを埋設管に被せた状態を示す斜視断面図である。
【図４】同スリーブの施工状態を示す斜視断面図である。
【図５】この考案のもう１つの実施形態を示すものであって、埋設管外面防食用スリーブの部分省略斜視図である。
【図６】従来の埋設管外面防食用スリーブを示す部分省略斜視図である。
【図７】同スリーブの施工状態を示す断面図である。
【考案を実施するための形態】
【００１６】
この考案の実施形態を、図面を参照しながら以下に説明する。
【００１７】
図１〜図５には、この考案の第１の実施形態が示されている。図１を参照すると、この考案による埋設管外面防食用スリーブ(1)は、埋設管(P)に緩く被せられるチューブ状に成形されかつ偏平に折り畳まれることにより両側縁に折り目(31)(32)が付けられているフィルム成形体(1)よりなる。フィルム成形体(1)の表面には、埋設管(P)等に関する情報を示すための表示部(2)が長さ方向に沿って所定幅で設けられている。
【００１８】
スリーブ(1)の使用対象とされる埋設管(P)の用途や材質等は限定されないが、特に水道用ダクタイル鋳鉄管に対して好適に使用可能である。
スリーブ(1)のサイズも特に限定されないが、例えば呼び径７５ｍｍの埋設管(P)に対して、内径２４８ｍｍ、折り径３９０ｍｍ程度のスリーブ(1)が使用される。
スリーブを構成するフィルム成形体(1)は、通常、低密度ポリエチレンを材料として使用し、インフレーション法によって継ぎ目のないチューブ状に成形される。この場合、フィルム成形体(1)は、インフレーション法によって成形される過程で偏平に折り畳まれ、両側縁に折り目(31)(32)が付けられる。
【００１９】
表示部(2)は、通常、フィルム成形体(1)の表面に所定事項を印刷することによって形成される。但し、印刷以外の方法、例えばフィルム成形体(1)の表面にシールを貼り付けることによって、表示部(2)を形成することも可能である。
埋設管(P)が例えば水道用ダクタイル鋳鉄管である場合、表示部(2)には、フィルム成形体(2)の長さ方向に沿って所定間隔おきに形成される複数の青色帯状の表示枠内に、水道用品を示す記号、管の呼び径、製造業者名の略号等が白抜きで表示される。
【００２０】
また、図１に示すように、フィルム成形体(2)の表面には、一側縁の折り目(31)から幅方向に所定距離だけ内側に入り込んだ箇所に、折り重ね案内用表示部(41)が設けられている。この表示部(41)は、例えばフィルム成形体(1)の表面に所定の表示を印刷することによって形成され、図１ではフィルム成形体(2)の長さ方向にのびる破線によって構成されている。
一側縁の折り目(31)から折り重ね案内用表示部(41)までの幅方向の距離は、施工時に形成される折り重ね部(5)の幅とほぼ等しくなされている（図４参照）。
前述した表示部(2)は、折り目(31)と折り重ね案内用表示部(41)との間のほぼ真ん中に位置するように形成されている。
【００２１】
図２は、図１に示すように偏平に折り畳まれたフィルム成形体(1)を、折り重ね案内用表示部(41)の箇所で、さらに幅方向に２つに折り畳んだ状態を示すものである。
以上のようにフィルム成形体(1)が折り畳まれることによって、フィルム成形体(1)の上面側部分のうち折り重ね案内用表示部(41)が設けられている箇所に山形の折り目(34)が付けられるとともに、フィルム成形体(1)の下面側部分のうち上記折り目(34)と重なる箇所に谷形の折り目(33)が付けられている。
谷形の折り目(33)は、施工時における折り重ね部(5)の最内層(5A)と中間層(5B)との間の折り目に相当する箇所に形成されている。また、山側の折り目(34)は、折り重ね部(5)の最外層(5C)の一側縁に相当する箇所に形成されている。
【００２２】
次に、図３および図４を参照して、上記スリーブ(1)の施工手順の一例を説明する。
まず、図３に示すように、筒状に広げたスリーブ(1)を、埋設管(P)の周囲にその一端側から嵌め被せる。この際、表示部(2)に近い方の折り目(31)が上側に来るようにしておく。
そして、表示部(2)が埋設管(P)の頂部(P1)に来るように位置を合わせながら、スリーブ(1)の周方向の一部、具体的には折り目(31)(33)(34)によって画定された部分を、これらの折り目(31)(33)(34)に沿って計３層になるように折り重ねる。これにより、スリーブ(1)が所定寸法だけ縮径されて、埋設管(P)の外面に沿うようになる。
その後、スリーブ(1)を、例えば粘着テープ(T)やゴムバンド（図示略）等の固定手段によって、埋設管(P)に固定する。
【００２３】
以上の通り、この実施形態の埋設管外面防食用スリーブ(1)によれば、施工に際して折り重ね部(5)の位置決めを極めて容易に行うことができ、熟練者でなくても迅速かつ適切に施工することが可能である。
【００２４】
図５は、この考案による埋設管埋設管外面防食用スリーブの第２の実施形態を示すものである。
この実施形態のスリーブ(10)では、図２に示す状態に折り畳まれたフィルム成形体(10)の下面側部分の表面のうち谷形の折り目(33)が付けられている箇所に、折り重ね案内用表示部(42)が設けられ、また、施工時における折り重ね部(5)の最内層(5a)の幅中央部に相当する箇所に、埋設管(P)の頂部(P1)への位置合わせ用表示部(43)が設けられている。
折り重ね案内用表示部(42)は、フィルム成形体(10)の上面側部分に形成される折り重ね案内用表示部(41)と同様のものであって、通常、印刷によって形成される。
また、位置合わせ用表示部(43)も、例えばフィルム成形体(10)の表面に所定の表示を印刷することによって形成され、図５ではフィルム成形体(10)の長さ方向にのびる２点破線によって構成されている。
【００２５】
この実施形態のスリーブ(10)にあっては、施工時において、位置合わせ用表示部(43)が埋設管(P)の頂部(P1)に来るように位置を合わせるだけで、埋設管(P)に対するスリーブ(10)の位置決めを行うことができ、また、折り重ね部(5)の位置決めも、折り重ね案内用表示部(42)を目印にして、より簡単かつ確実に行うことができる。
なお、この実施形態のようにフィルム成形体(10)の下面側部分に折り重ね案内用表示部(42)を形成する場合、フィルム成形体(10)の上面側部分の折り重ね案内用表示部(41)を省略することも可能である。
【符号の説明】
【００２６】
(1)(10)：埋設管外面防食用スリーブ（フィルム成形体）
(2)：表示部
(31)(32)(33)(34)：折り目
(41)(42)：折り重ね案内用表示部
(43)：位置合わせ用表示部
(5)：折り重ね部
(5A)：最内層
(5B)：中間層
(5C)：最外層
(P)：埋設管
(P1)：（埋設管の）頂部
(T)：粘着テープ（固定手段）
【図１】
0003187355.tif 000003
【図２】
0003187355.tif 000004
【図３】
0003187355.tif 000005
【図４】
0003187355.tif 000006
【図５】
0003187355.tif 000007
【図６】
0003187355.tif 000008
【図７】
0003187355.tif 000009